(57)【要約】      （修正有）【課題】手で蓋を開ける事無く、装置のペダルを足で踏む事により、蓋を容易に開閉できるようにする感染性廃棄物箱開閉装置を提供する。【解決手段】Ａは、箱の蓋の平らな部分に接続できる吸盤型接着器を用い、外す場合は、接着器の円盤外側に在る小さい突起部を摘み上げることにより簡単に外すことが出来るようにした。吸盤接着器の中心の部分の突起部の穴へ引き紐を取付け、上部滑車を回し紐は、紐通過用溝を通り下部滑車を回し、フットペダルアームのエの部分に接続する。フットペダルアームは、オを支点とし、Ｂを力点、エを作用点となり、足でＢを踏むことにより作用点エは引き上げられ、それに接続した紐が引き上げられ、紐を介しＡの部分が引上げられることになる。すなわち、感染性廃棄物箱の蓋が奥の方を支点として開く事になる。この装置を使うことにより、容易に蓋の開閉ができ、感染防止にも役立つ。【選択図】図４
0003161952.tif 000002
【実用新案登録請求の範囲】
【請求項１】
感染性廃棄物箱開閉装置に、感染性廃棄物箱をセットしたとき、蓋を引き上げる為に、紐を接続した、吸盤型接続器を用いた部分。
【請求項２】
感染性廃棄物箱開閉装置に於いて、滑車を用い、引き紐の力の方向を変える滑車を使用した部分。
【請求項３】
感染性廃棄物箱開閉装置に於いて、フットペダルにより、紐をひき上げる様にした、フットペダルアームの部分。
【考案の詳細な説明】
【技術分野】
【０００１】  本考案は、感染性廃棄物箱の蓋を、装置を使い足で踏む事により容易に開閉することが出来るように考案した物である。
【背景技術】
【０００２】  感染性廃棄物箱は、医療現場において血液の付着した物や注射針等の危険性の有る物を専用の廃棄物箱に入れ、箱が一杯に成ったら蓋をして、その箱ごと収集運搬し焼却処分しているのが現状である。又現場では、感染性廃棄物を入れようとする場合、蓋をその度び手で取り、蓋を横に置き入れ終ったら、手で蓋をしている。
【考案の開示】
【考案が解決しようとする課題】
【０００３】  専用の廃棄物箱を簡単にセットでき、簡単に取り外しできる様にし、手で蓋を開ける事無く、装置のペダルを、足で踏む事により、感染性廃棄物箱の蓋を容易に開閉できるようにしようとするものである。
【課題を解決するための手段】
【０００４】  専用の感染性廃棄物容器を置く装置を作りその台にセットする事により容易に蓋の開閉できる装置を作ることである。
蓋を開閉する為には、蓋を開く装置が必要で、蓋との接続には、取り付け、取り外しの簡単な吸盤型接続器を利用する。
その接続器に柔軟性のある丈夫な細い紐を用い接続する、接続された紐は、装置の構造物に取り付けした数個の滑車を回し、フットペダルを踏む事により引っ張られ、蓋が開くようにした。
【考案の効果】
【０００５】  感染性廃棄物を手に持っていた場合、感染物を近くに置き、手で蓋を取り、近くに蓋を置き、感染物をまた手に取り箱に入れ、また手で蓋をしなければならない。
感染物は、危険性が有る為、近くに置いた場所また蓋の裏に付着したものが置いた場所に付着する恐れ有り、病原菌が広まることになる。当装置を使えば、感染の拡大を防ぐと同時に、簡単に箱に感染物を投入でき安全である、また感染性廃棄物箱を簡単にセット出来る物である。
【考案を実施するための最良の形態】
【０００６】  感染性廃棄物を箱に投入する場合、箱に向かって立った場合左か右の方にペダルが、在る方が良いと思われ、左下にペダルがくるようにした。
感染性廃棄物箱は、使いすての物なので簡単に装着でき、簡単に取外しできる構造にした。蓋を開閉させる為に、蓋に装着する部分には、ワンタッチで装着できる吸盤型接着器を用い、装着する時は押すだけで装着でき、取りはずす時は、吸盤型接着器の円盤のはしにある突起部を摘み引くことにより、簡単に外すことができる構造である。
装置を移動させる時は、装置の突起部を持ち移動させることができる。
試作品は、木で製作したが、全体をプラスチックで成型して作っても良いと思われる。
同装置は、ばね等を用いず、箱の蓋自重で閉まり、フットペダル自重で元に戻る。
【実施例】
【０００７】  添付図面［図１］〜［図４］によって説明する。
［図１］は、同装置と感染性廃棄物箱をセットした状態の外観図である。
［図２］は、同装置のみの外観図である。
［図３］は、同装置の背面の裏板を外した状態の図面である。
［図４］は、同装置のフットペダル側の側板を外した状態の図面である。
［図１］に於いて、吸盤接着部は、感染箱の中心より手前側に来るよう開閉用紐の長さを決定する事が重要である。
また感染箱をセットした場合、感染箱と同装置が脱着が容易に出来る大きさとし、遊びがあまり無い大きさとする。ただし感染箱の蓋が開くとき、蓋の支点となる部分の隙間は、同装置と一定の間隔が必要である、またフットペダル側の感染箱の蓋が開閉するとき蓋が接触しない程度の間隔も必要である。
［図３］に於いて、（ア）、（イ）、（ウ）、の滑車を回し開閉用紐が移動できるようにして、フットペダルアームの（エ）の部分に接続する。また滑車から紐が外れない構造とする。フットペダルアームは、［図４］ような形をし、厚みのある帯鉄等により作りペダル部分は、９０度ひねり踏みやすい形にする。フットペダルアームの支点となる部分に穴を開け、両脇に円形の座金を入れシャフトを通し固定し、足で踏んだ時アームは容易上下できるように取付け、足踏み外力が無くなれば、アーム自重により元の位置に戻る。
紐自体も、感染箱の蓋の自重により引っ張られ蓋が閉まった状態まで戻ることになる。【０００８】  以上に述べたとおり、図面に示す装置を作り、感染性廃棄物箱を置きセットすれば、足でペダルを踏むことにより、感染性廃棄物箱の蓋が開き感染性廃棄物を投入できる。
また、ペダルより足を離せば、自動的に箱の蓋が閉まる。
【図面の簡単な説明】
【０００９】
【図１】は、同装置と感染性廃棄物箱をセットした状態の外観図である。
【図２】は、同装置のみの外観図である。
【図３】は、同装置の背面の裏板を外した状態の図面である。
【図４】は、同装置のフットペダル側の側板を外した状態の図面である。
【符号の説明】
【００１０】  ▲１▼  感染性廃棄物開閉装置本体
▲２▼  感染性廃棄物箱
（ア）上部滑車取付け部分
（イ）下部滑車取付け部分
（ウ）アーム側滑車取付け部分
（エ）フットペダルアーム先端に開閉紐接続部分
（オ）フットペダルアームの支点部分
（Ａ）感染性廃棄物箱の蓋と接続脱着可能部分
（Ｂ）足で踏み外力を加える部分
【図１】
0003161952.tif 000003
【図２】
0003161952.tif 000004
【図３】
0003161952.tif 000005
【図４】
0003161952.tif 000006
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
感染性廃棄物箱開閉装置に、感染性廃棄物箱をセットしたとき、感染性廃棄物箱の蓋との接続をする為、吸盤型の接着器を用いそれに接続した紐が上部に、引き上げる為、感染性廃棄物箱開閉装置に設けた滑車（ア）、を回し、滑車（イ）、（ウ）、と導く、紐の端末をフットペダルアーム先端の（エ）、の部分に接続し、フットペダルアームは（オ）を支点とし、（Ｂ）を踏むことにより、開閉用の紐が引き上げられる事になる。結果的に紐は滑車を回し感染性廃棄物箱の蓋が引き上げられ、感染性廃棄物箱の蓋が滑車取り付け側を支点とし、開く事になる。この時の吸盤型の接続器と、感染性廃棄物箱蓋との接続点は、蓋の中心より手前側に来る様に紐の長さを調整した長さとする。以上の様に、吸盤型接着器、紐、滑車、フットペダルアームを組み合わせを特徴とする構造をした、感染性廃棄物箱開閉装置。
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
感染性廃棄物箱開閉装置において、感染性廃棄物箱をセットしたとき、感染性廃棄物箱の蓋を接続をする為、吸盤型の接着器を用い、それに接続した紐が上部に引き上がるように設けた３個の滑車を廻し紐をフットペダルアームの先端に接続する、フットペダルアームを踏む事により、支点となる部分を中心として外力と反対方向へ動く、すなわち紐が引っ張られ感染性廃棄物箱の蓋が開くことになる、以上の様に、吸盤型接着器、紐、滑車、フットペダルアームを組み合わせる構造を特徴とした、感染性廃棄物箱開閉装置。